(57)【要約】【課題】開口部装置の施工やメンテナンスに関し、現場作業の容易性または安全性を向上する。【解決手段】開口部装置は、外パネル７と、内パネル９と、外パネル７を納める外框８と、室内側から外框８に取り外し可能に装着されており、内パネル９を納める内框１０と、を備える。内框１０は、外框８の室内側内周面に着脱自在に支持される。開口部装置は、建物開口部に固定される枠体１と、枠体１に納められており、外パネル７及び外框８を備える外障子３と、室内側から外障子３に取り外し可能に装着されており、内パネル９及び内框１０を備える内障子４と、を備えてもよい。【選択図】図２
2015175169.tif 000002
【特許請求の範囲】
【請求項１】
外パネル及び内パネルを備える開口部装置であって、
前記外パネルを納める外框と、
室内側から前記外框に取り外し可能に装着されており、前記内パネルを納める内框と、を備え、
前記内框は、前記外框の室内側内周面に着脱自在に支持されることを特徴とする開口部装置。
【請求項２】
建物開口部に固定される枠体と、
前記枠体に納められており、前記外パネル及び前記外框を備える外障子と、
室内側から前記外障子に取り外し可能に装着されており、前記内パネル及び前記内框を備える内障子と、を備えることを特徴とする請求項１に記載の開口部装置。
【請求項３】
前記外パネルは、前記外框の室外部分と、室内側に取り付けられる押縁部材とに挟持されており、
前記内框は、前記押縁部材に着脱自在に支持されることを特徴とする請求項１または２に記載の開口部装置。
【請求項４】
前記外框の室内側内周面にはラッチ受け部が設けられ、前記内框の外周部にはラッチが設けられており、
前記内框は、前記ラッチと前記ラッチ受け部との係合により前記外框に装着され、前記係合の解除により前記外框から取り外されることを特徴とする請求項１または２に記載の開口部装置。
【請求項５】
前記外パネルは、単板ガラスまたは複層ガラスを備え、
前記内パネルは、複層ガラスまたはブラインド内蔵型複層ガラスを備えることを特徴とする請求項１または２に記載の開口部装置。
【請求項６】
開口部装置の施工方法であって、
建物開口部に前記開口部装置の枠体を固定する工程と、
室内側または室外側から前記開口部装置の外障子を前記枠体に納める工程と、を備え、
前記納める工程は、前記外障子の框体の室内側内周面に、前記開口部装置の内障子の框体のための支持部を設ける工程を備えることを特徴とする方法。
【請求項７】
前記内障子を室内側から前記外障子に取り外し可能に装着する工程をさらに備え、
前記内障子の框体は、前記支持部に着脱自在に支持されることを特徴とする請求項６に記載の方法。
【請求項８】
開口部装置の施工方法であって、
建物開口部に前記開口部装置の枠体を固定する工程と、
室内側または室外側から前記開口部装置の外パネルを前記枠体に納める工程と、
前記枠体の室内側内周面に、前記開口部装置の内障子の框体のための支持部を設ける工程と、を備えることを特徴とする方法。
【請求項９】
前記内障子を室内側から前記枠体に取り外し可能に装着する工程をさらに備え、
前記内障子の框体は、前記支持部に着脱自在に支持されることを特徴とする請求項８に記載の方法。
【請求項１０】
開口部装置の施工方法であって、
前記開口部装置の内障子を室内側から前記開口部装置の外障子または枠体に取り外し可能に装着する工程を備え、
前記内障子の框体は、前記外障子の框体の室内側内周面または前記枠体の室内側内周面に着脱自在に支持されることを特徴とする方法。
【請求項１１】
既設サッシを改装するための開口部装置の施工方法であって、
前記既設サッシから障子またはパネルを取り外す工程と、
室内側または室外側から前記開口部装置の外障子または外パネルを前記既設サッシの枠体に納める工程と、
前記外障子の框体の室内側内周面に、または前記枠体の室内側内周面に、前記開口部装置の内障子の框体のための支持部を設ける工程と、を備えることを特徴とする方法。
【発明の詳細な説明】
【技術分野】
【０００１】
本発明は、開口部装置、及び開口部装置の施工方法に関する。
【背景技術】
【０００２】
窓やサッシのような開口部装置に要求される性能は種々ある。まず求められるのは、いわゆる基本性能であり、これには耐風圧性、水密性、及び気密性がある。基本性能に加えて、居住空間の快適性を高めるための付加機能の充実も求められる。そうした付加機能には例えば断熱性がある。あるいは、熱や光の遮蔽性能が求められることもある。
【０００３】
例えば、遮熱や遮光を提供するために、開口部装置にブラインド内蔵サッシが設けられる場合がある。ブラインド内蔵サッシは、ブラインドを具備するよう専用に設計されるサッシである。
【０００４】
また、特許文献１には、ブラインド内蔵型複層ガラスが提案されている。ブラインド内蔵型複層ガラスにおいては、密閉された複層ガラスの中間空気層にブラインドが配置される。
【先行技術文献】
【特許文献】
【０００５】
【特許文献１】特開２０１３−２２７８０２号公報
【発明の概要】
【発明が解決しようとする課題】
【０００６】
ブラインド内蔵サッシのような専用のサッシは汎用のサッシに比べて製造コストが高くなる。
【０００７】
また、ブラインド内蔵型複層ガラスが外気や日射など外部環境に直接さらされる場合には、そうした外部環境の影響が中間空気層にも継続的に作用する。そのため、外部環境による品質の劣化が、室内で使用される一般的なブラインドに比べて進みやすい。ブラインドの交換を要する場合には複層ガラスごと交換されるのが通例であるが、難しい工程が交換作業に含まれる場合がある。例えばシール納まりの複層ガラスについては、とりわけ建物高層階の室外側でのシール切断は作業難度が高い。
【０００８】
本発明はこのような課題に鑑みてなされたものであり、そのある態様の例示的な目的のひとつは、開口部装置の施工やメンテナンスに関し、現場作業の容易性または安全性を向上することにある。
【課題を解決するための手段】
【０００９】
上記課題を解決するために、本発明のある態様は、外パネル及び内パネルを備える開口部装置に関する。開口部装置は、前記外パネルを納める外框と、室内側から前記外框に取り外し可能に装着されており、前記内パネルを納める内框と、を備える。前記内框は、前記外框の室内側内周面に着脱自在に支持される。
【００１０】
この態様によると、外框に対し室内側から内框を着脱できる。内框の着脱のために外パネルを取り外さなくてもよいので、開口部装置の施工やメンテナンスなど現場作業が容易になる。室内側で着脱可能であるので、特に建物の高層階における作業の安全性が向上される。
【００１１】
ここで、「外框」は、外障子の框体であってもよい。その場合、開口部装置は、建物開口部に固定される枠体と、前記枠体に納められており、前記外パネル及び前記外框を備える外障子と、室内側から前記外障子に取り外し可能に装着されており、前記内パネル及び前記内框を備える内障子と、を備えてもよい。あるいは、「外框」は、建物開口部に固定される枠体であってもよい。その場合、前記外パネルは、前記外框すなわち枠体に直接納められていてもよい。
【００１２】
枠体に外障子または外パネルが納められており、外障子の框体の室内側内周面または枠体の室内側内周面に内障子の框体が着脱自在に支持される。そのため、枠体により定位置に保持された外障子または外パネルに対し内障子を室内側から装着し又は取り外すことができる。外障子または外パネルを取り外すことなく室内側から内障子を着脱することができるので、開口部装置の施工やメンテナンスなど現場作業が容易になる。室内側で着脱可能であるので、特に建物の高層階における作業の安全性が向上される。
【００１３】
枠体が建物開口部に固定され、外障子または外パネルが枠体に納められる。このような開口部装置の室外側部分もまた、枠体と外障子または外パネルとによって構成される１つの開口部装置であるとみなすことができる。この室外側部分として、例えば、既存の開口部装置を採用することができる。内障子を含む室内側部分を追加的に設置することにより、性能を向上した開口部装置を提供することができる。例えば、室外側部分により所望の基本性能を提供し、室内側部分により断熱性や遮蔽性能など付加機能を提供し、全体として高性能の開口部装置を実現することができる。また、既設の開口部装置に室内側部分を追加することにより、その既設の開口部装置の性能を向上し又は新たな機能を付加することも可能である。
【００１４】
前記外パネルは、前記外框の室外部分と、室内側に取り付けられる押縁部材とに挟持されていてもよい。前記内框は、前記押縁部材に着脱自在に支持されていてもよい。
この態様によると、開口部装置の室外側部分はいわゆる押縁構造を有する。押縁部材が室内側に設けられ、それにより外パネルが固定される。そのため、内障子だけでなく外障子または外パネルも室内側から建て込むことができる。また、押縁部材によって、内障子の框体のための支持部を提供することができる。
【００１５】
前記外框の室内側内周面にはラッチ受け部が設けられ、前記内框の外周部にはラッチが設けられていてもよい。前記内框は、前記ラッチと前記ラッチ受け部との係合により前記外框に装着され、前記係合の解除により前記外框から取り外されてもよい。
この態様によると、ラッチ機構によって、内障子の框体が外障子の框体の室内側内周面または枠体の室内側内周面に着脱自在に支持される。そのため、内障子を外障子または枠体に簡単に着脱することが可能である。
【００１６】
前記外パネルは、単板ガラスまたは複層ガラスを備えてもよい。前記内パネルは、複層ガラスまたはブラインド内蔵型複層ガラスを備えてもよい。
この態様によると、外パネル及び内パネルのそれぞれに異なる性能、用途、または意匠を有するガラスを選択し、それらを組み合わせることが可能となる。そうして、多様な性能を有する種々の開口部装置を構成することができる。
例えば、内障子のパネルとしてブラインド内蔵型複層ガラスを採用することにより、遮蔽性能を有する開口部装置を提供することができる。外部環境は外障子または外パネルに作用し、従って内障子は外障子または外パネルによってある程度保護される。内障子は外部環境に直接さらされないので、ブラインドの経時的な劣化の進行を抑制することができる。
【００１７】
本発明のある他の態様は、開口部装置の施工方法に関する。本方法は、建物開口部に前記開口部装置の枠体を固定する工程と、室内側または室外側から前記開口部装置の外障子を前記枠体に納める工程と、を備える。前記納める工程は、前記外障子の框体の室内側内周面に、前記開口部装置の内障子の框体のための支持部を設ける工程を備える。
【００１８】
開口部装置の施工方法は、前記内障子を室内側から前記外障子に取り外し可能に装着する工程をさらに備えてもよい。前記内障子の框体は、前記支持部に着脱自在に支持されてもよい。
【００１９】
本発明のある他の態様は、開口部装置の施工方法に関する。本方法は、建物開口部に前記開口部装置の枠体を固定する工程と、室内側または室外側から前記開口部装置の外パネルを前記枠体に納める工程と、前記枠体の室内側内周面に、前記開口部装置の内障子の框体のための支持部を設ける工程と、を備える。
【００２０】
開口部装置の施工方法は、前記内障子を室内側から前記枠体に取り外し可能に装着する工程をさらに備えてもよい。前記内障子の框体は、前記支持部に着脱自在に支持されてもよい。
【００２１】
本発明のある他の態様は、開口部装置の施工方法に関する。本方法は、前記開口部装置の内障子を室内側から前記開口部装置の外障子または枠体に取り外し可能に装着する工程を備える。前記内障子の框体は、前記外障子の框体の室内側内周面または前記枠体の室内側内周面に着脱自在に支持される。
【００２２】
本発明のある他の態様は、既設サッシを改装するための開口部装置の施工方法に関する。本方法は、前記既設サッシから障子またはパネルを取り外す工程と、室内側または室外側から前記開口部装置の外障子または外パネルを前記既設サッシの枠体に納める工程と、前記外障子の框体の室内側内周面に、または前記枠体の室内側内周面に、前記開口部装置の内障子の框体のための支持部を設ける工程と、を備える。
【発明の効果】
【００２３】
本発明によれば、開口部装置の施工やメンテナンスに関し、現場作業の容易性または安全性を向上することができる。
【図面の簡単な説明】
【００２４】
【図１】本発明のある実施形態に係る開口部装置の正面図を示す。
【図２】図１に示す開口部装置の縦断面図を示す。
【図３】図１に示す開口部装置の横断面図を示す。
【図４】図４（ａ）及び図４（ｂ）は、本発明のある実施形態に係る開口部装置の内障子の着脱機構を例示する図である。
【図５】図５（ａ）、図５（ｂ）、及び図５（ｃ）は、図４（ａ）及び図４（ｂ）に示す着脱機構の動作を説明するための図である。
【図６】本発明のある実施形態に係る開口部装置の施工方法を説明するための図である。
【図７】ブラインド内蔵型複層ガラスを例示する図である。
【発明を実施するための形態】
【００２５】
以下、図面を参照しながら、本発明を実施するための形態について詳細に説明する。なお、説明において同一の要素には同一の符号を付し、重複する説明を適宜省略する。また、以下に述べる構成は例示であり、本発明の範囲を何ら限定するものではない。
【００２６】
図１は、本発明のある実施形態に係る開口部装置の正面図を示す。図１は開口部装置を室内側から見た図である。図２及び図３は、図１に示す開口部装置の縦断面図及び横断面図をそれぞれ示す。
【００２７】
開口部装置は、建物開口部に固定される枠体１と、枠体１内に開閉自在に支持される障子ユニット２と、を備える。障子ユニット２は、室外側に配置される第１障子と、室内側に配置される第２障子と、を備える。本書では説明の便宜上、室外側の第１障子を「外障子３」と称し、室内側の第２障子を「内障子４」と称する。
【００２８】
詳しくは後述するが、内障子４は、室内側から外障子３に取り外し可能に装着されるよう構成されている。障子ユニット２が開閉されるとき、内障子４は外障子３と一体に動く。枠体１には外障子３が納められており、内障子４は外障子３を介して枠体１に支持されている。
【００２９】
枠体１と外障子３とで、完成された１つの開口部装置が室外側に構成される。言い換えれば、枠体１と外障子３とからなる（すなわち、内障子４を除く）開口部装置の室外側部分は、所望の基本性能、例えば耐風圧性、水密性、及び／または気密性を提供するよう設計されている。一方、内障子４は、外障子３に装着されたとき、開口部装置に所望の付加機能、例えば断熱性、遮熱性、及び／または遮光性を提供するよう設計されている。
【００３０】
外障子３は、障子ユニット２の開閉操作のためのハンドル５を備える。また、図２及び図３に示されるように、障子ユニット２は、回動支持部６によって枠体１に開閉可能に支持される。回動支持部６は、障子ユニット２の上辺、下辺、右辺、及び左辺のそれぞれに設けられている。ハンドル５の回動に伴い、上下辺の回動支持部６または左右辺の回動支持部６のいずれか一方の支持状態が解除される。他方の回動支持部６の支持により障子ユニット２を開閉することができる。
【００３１】
図示される開口部装置は、障子ユニット２の一方の縦辺側を軸として室内側に向かって開く動作と、障子ユニット２の上片側または下辺側を軸として室内側に傾倒させる動作の両方が可能なドレーキップ窓サッシとして構成されている。例えば、ハンドル５を所定角度、例えば９０度回動させることで、下辺側を軸として障子ユニット２を内倒し状に開くことができる。また、ハンドル５を異なる所定角度、例えば１８０度回動させることで、障子ユニット２のハンドル５と反対側の縦辺側を軸として室内側に開くことができる。
【００３２】
外障子３及び内障子４はそれぞれ、パネルと、パネルを納める框体と、を備える。本書では説明の便宜上、外障子３のパネル及び框体をそれぞれ、「外パネル７」及び「外框８」と称する。同様に、内障子４のパネル及び框体をそれぞれ、「内パネル９」及び「内框１０」と称する。
【００３３】
枠体１は、上枠１ａ、下枠１ｂ、及び左右の縦枠１ｃ，１ｃを備え、これらの枠部材は方形状に枠組みされている。また、外框８は、外上框８ａ、外下框８ｂ、左右の外縦框８ｃ，８ｃを備え、これらの框部材は方形状に框組みされている。同様に、内框１０は、内上框１０ａ、内下框１０ｂ、及び左右の内縦框１０ｃ，１０ｃを備え、これらの框部材は方形状に框組みされている。
【００３４】
外パネル７及び内パネル９はそれぞれ、少なくとも１つのパネル部材を備える。このパネル部材は、透光性を有する板、例えば板ガラスを備える。本書において透光性とは、入射する光の少なくとも一部を透過する性質をいう。よって、パネル部材は、例えば透明または半透明であってもよいし、無色または有色であってもよい。
【００３５】
本実施形態においては、外パネル７は単板ガラスであり、内パネル９は複層ガラスである。複層ガラスは少なくとも２枚（例えば２枚または３枚）の板ガラスを備え、これら板ガラスの外周端部が封止されるように互いに結合され、板ガラス間に密閉された中間層が形成される。中間層には空気またはその他のガスが封入されている。中間層は減圧されていてもよい。
【００３６】
外パネル７と内パネル９とは構造的に独立しているので、それぞれに異なる性能、用途、及び／または意匠を有するパネル部材を採用し、それらを組み合わせて開口部装置を構成することができる。
【００３７】
枠体１（図２に関しては上枠１ａまたは下枠１ｂを指し、図３に関しては左右の縦枠１ｃ，１ｃを指す。以下同様。）は、枠室外部１２、枠室内部１４、及び枠ブリッジ材１６を備える。枠室外部１２及び枠室内部１４は、金属（例えば、アルミニウム合金）で形成され、枠ブリッジ材１６は、断熱性を有する材料（例えば、断熱性を有する樹脂材料）で形成されている。枠室外部１２と枠室内部１４とは見込方向（図２においては左右方向、図３においては上下方向）に離れて配置されており、枠ブリッジ材１６により連結されている。このようにして、枠室内部１４は、枠室外部１２との熱的な接続が遮断されている。
【００３８】
同様に、外框８（図２に関しては外上框８ａまたは外下框８ｂを指し、図３に関しては左右の外縦框８ｃ，８ｃを指す。以下同様。）は、框室外部１８、框室内部２０、及び框ブリッジ材２２を備える。框室外部１８及び框室内部２０は、金属（例えば、アルミニウム合金）で形成され、框ブリッジ材２２は、断熱性を有する材料（例えば、断熱性を有する樹脂材料）で形成されている。框室外部１８と框室内部２０とは見込方向に離れて配置されており、框ブリッジ材２２により連結されている。このようにして、框室内部２０は、框室外部１８との熱的な接続が遮断されている。
【００３９】
枠室外部１２はその内周側に室外気密材保持部１２ａを備える。室外気密材保持部１２ａの末端には室外気密材１２ｂが保持されている。室外気密材１２ｂは、枠体１の長手方向（図２及び図３において紙面に垂直な方向、以下同様）に沿って延在し、框室外部１８の室外側面に当接している。
【００４０】
框室内部２０は、方形部２０ａを備える。方形部２０ａは、その室外側面に框ブリッジ材２２を保持するよう構成されており、框ブリッジ材２２は方形部２０ａと框室外部１８とにより保持される。方形部２０ａの外周面と枠室内部１４との間に回動支持部６が収容されている。方形部２０ａの内周面には、後述する押縁部材２８が支持される。
【００４１】
また、方形部２０ａの室内側面は室内空間に面しており、この室内側面の外周側に室内気密材保持部２１が設けられている。室内気密材保持部２１は、室内側にて回動支持部６の収容空間を囲うように外周側へと延びており、その末端に室内気密材２３が保持されている。室内気密材２３は、外框８の長手方向に沿って延在し、枠室内部１４の室内側面に当接している。
【００４２】
枠室外部１２と枠室内部１４との間には、断熱部材２４が設けられている。断熱部材２４は、枠体１の長手方向に沿って延在する。断熱部材２４の室外側縁部は枠室外部１２に保持され、断熱部材２４の室内側縁部は枠室内部１４に保持される。また、断熱部材２４は、見付方向（図２においては上下方向、図３においては左右方向）において枠ブリッジ材１６と框ブリッジ材２２との間に配置されている。断熱部材２４の内周側先端部は、框室内部２０に当接する。このようにして、断熱部材２４は、枠体１の内周面と外框８の外周面との間に形成される空間を室外側と室内側とに仕切る。こうして仕切られた室内側の空間に、回動支持部６が収容されている。
【００４３】
断熱部材２４は開口部装置における排水経路の一部を構成する。断熱部材２４には、その内周側先端部から室外側縁部に向けて、すなわち、室内内周側から室外外周側へと向けて、傾斜面２４ａが形成されている。傾斜面２４ａにより、特に下枠１ｂにおいては断熱部材２４に滴下した水を枠室外部１２へと導くことができる。こうして、枠体１に浸入した水を枠室外部１２の排水口（図示せず）を通じて外部に排出することができる。なお、断熱部材２４の上方に隣接する框ブリッジ材２２に排水口（図示せず）が形成されていてもよい。その場合、外框８に浸入した水をその排水口を通じて断熱部材２４の傾斜面２４ａに滴下させ、外框８から排出することができる。
【００４４】
框室外部１８の内周面にはセッティングブロック３０が載置されており、その上に外パネル７が載置されている。セッティングブロック３０は、框ブリッジ材２２に対し室外内周側に配置されている。セッティングブロック３０の室内側縁部は框室内部２０から離れている。
【００４５】
外パネル７は、押縁構造により外框８に固定されている。外框８は、框本体２６と、框本体２６とは別体である押縁部材２８と、を備える。框本体２６は、上述の框室外部１８、框室内部２０、及び框ブリッジ材２２を備える。押縁部材２８は、框本体２６の室内側、すなわち框室内部２０に取り付けられる。押縁部材２８は、外框８の長手方向に沿って延在する。外パネル７の室外面が框本体２６の室外側すなわち框室外部１８により保持され、かつ外パネル７の室内面が押縁部材２８により保持されるようにして、外パネル７は框室外部１８と押縁部材２８とに挟持される。押縁部材２８としては、外上框８ａ、外下框８ｂ、左右の外縦框８ｃ，８ｃのそれぞれに対応して、上押縁部材、下押縁部材、及び左右の縦押縁部材が設けられている。
【００４６】
外框８の框室内部２０は、内障子４を収容する空間を外障子３に隣接して形成するように、室内側に張り出している。框室内部２０の内周面は、押縁部材２８によって覆われている。本書では説明の便宜上、押縁部材２８の内周面を「押縁部材前面３２」と称し、その反対側の押縁部材２８の外周面を「押縁部材背面３４」と称する。押縁部材前面３２は、内框１０（図２に関しては内上框１０ａまたは内下框１０ｂを指し、図３に関しては左右の内縦框１０ｃ，１０ｃを指す。以下同様。）の外周面に対向する。押縁部材前面３２によって、内框１０を支持する外框８の室内側内周面が与えられる。押縁部材背面３４は、框室内部２０の外周面に対向する。
【００４７】
押縁部材背面３４には、中間気密材保持部３６が設けられている。中間気密材保持部３６には中間気密材３８が保持されている。中間気密材３８は、框室内部２０の内周面に、具体的には、方形部２０ａの室外内周側の角部に当接している。中間気密材３８は、外框８の長手方向に沿って延在する。中間気密材３８により、框本体２６と押縁部材２８との間の空間が室外側と室内側とに仕切られる。
【００４８】
また、押縁部材背面３４には、中間気密材保持部３６より室内側に係止突起４０が設けられている。框室内部２０の内周面には、係止突起４０に対応する係止部４２が設けられている。係止突起４０と係止部４２との係合により、押縁部材２８が框室内部２０に係止される。
【００４９】
押縁部材２８は、角部を室外外周側にもつ略Ｌ字状の断面形状を有する。押縁部材２８は、室外側から室内側へと順に、第１起立面部４４、第１対向面部４６、第２起立面部４８、及び第２対向面部５０を備える。第１起立面部４４と框室外部１８とに外パネル７が挟持される。第１起立面部４４から室内側に向けて第１対向面部４６が延びている。第１起立面部４４の外周側の縁部が第１対向面部４６の室外側の縁部に連続し、それにより略Ｌ字断面形状の角部が形成されている。上述の中間気密材保持部３６は第１対向面部４６に設けられている。
【００５０】
第２対向面部５０は第１対向面部４６よりも外周側に位置し、第１対向面部４６と第２対向面部５０との間には高さ差が形成されている。第２起立面部４８はこの高さ差に相当する寸法を有しており、第２起立面部４８によって第１対向面部４６の室内側の縁部が第２対向面部５０の室外側の縁部に接続されている。上述の係止突起４０は第２起立面部４８の外周側に設けられている。
【００５１】
第２対向面部５０の室内側の縁部、すなわち押縁部材２８の室内側の末端は、框室内部２０に突き当てられている。具体的には、第２対向面部５０は突起部５２の室外側の側面に突き当てられている。突起部５２は、方形部２０ａの室内内周側の角部から内周側に向けて突き出している。突起部５２及び室内気密材保持部２１はそれぞれ、方形部２０ａの室内側面と面一に形成されている。
【００５２】
内框１０は、パネル保持部５４と、フランジ部５６と、を備える。パネル保持部５４は、内パネル９の外周端面及びその近傍のパネル側面を囲み、内パネル９の外周端部を保持するよう構成されている。フランジ部５６は、パネル保持部５４と一体的に形成されており、パネル保持部５４の室内側面から外周側に向けて突き出している。フランジ部５６はその基部から外周側の末端へと、室内から室外に向かう方向に僅かに傾斜している。フランジ部５６の末端が突起部５２に当接する。
【００５３】
なお、内パネル９の外周端面に対向するパネル保持部５４の内周面にセッティングブロック（図示せず）が載置され、その上に内パネル９が載置されていてもよい。
【００５４】
図４（ａ）及び図４（ｂ）は、本発明のある実施形態に係る開口部装置の内障子４の着脱機構を例示する図である。図５（ａ）、図５（ｂ）、及び図５（ｃ）は、図４（ａ）及び図４（ｂ）に示す着脱機構の動作を説明するための図である。
【００５５】
本実施形態においては、開口部装置は、内框１０を外框８に着脱するためにラッチ機構を備える。内框１０の外周部にはラッチ５８が設けられている。具体的には図示されるように、ラッチ５８は、内框１０のコーナーブロック６０に設けられている。コーナーブロック６０は、２つの框部材をそれらの端部で互いに連結するための連結器具である。図示されるコーナーブロック６０は、内下框１０ｂと内縦框１０ｃとを連結する。
【００５６】
図４（ａ）は、コーナーブロック６０を内下框１０ｂと内縦框１０ｃに取り付けた状態を示す概略斜視図である。図４（ｂ）は、コーナーブロック６０のみを示す。図５（ａ）及び図５（ｂ）はそれぞれラッチ５８の係合状態及び解除状態を、コーナーブロック６０の断面図を用いて示す。図５（ｃ）には、図２及び図３に示されるラッチ５８の係合状態の拡大図を示す。なお、図５（ａ）、図５（ｂ）、及び図５（ｃ）においては内パネル９の図示を省略する。
【００５７】
コーナーブロック６０は、内框１０の意匠に適合するよう形成されている室内面部６２と、内パネル９の角部を受け入れる収容部６４と、を備える。また、コーナーブロック６０は、室内面部６２の背後で収容部６４の外側に設けられている取付部６６を備える。コーナーブロック６０は、対応する框部材に、例えばネジ６８などの適当な取付手段によって取り付けられる。取付部６６は、ネジ６８に対応するネジ穴７０を有する。
【００５８】
図５（ａ）及び図５（ｂ）に示されるように、コーナーブロック６０には収容部６４の壁部または取付部６６にラッチ穴７２が設けられている。ラッチ５８はラッチ穴７２に収容されている。ラッチ５８は、ラッチ穴７２の側面に案内されて見付方向に進退可能である。ラッチ５８とラッチ穴７２の底部との間には、例えばバネなどの付勢部材７４が取り付けられている。付勢部材７４は、ラッチ５８を見付方向に外周側に向けて付勢する。付勢部材７４の付勢により、ラッチ５８は常態として係合状態をとる。
【００５９】
係合状態においては、ラッチ５８は、外框８の室内側内周面に設けられているラッチ受け部と係合する。ラッチ受け部は、図５（ｃ）に示されるように、第２対向面部５０を底面とし、第２起立面部４８及び突起部５２をそれぞれ側面とする凹部である。この凹部にラッチ５８が挿入され、第２対向面部５０にラッチ５８の先端が当接する。ラッチ５８の先端は突起部５２の先端を越えて外周側まで進出しており、ラッチ５８とフランジ部５６とにより突起部５２が挟まれる。
【００６０】
ラッチ５８の先端側には、室内外周側から室外内周側に向けて傾斜する傾斜面５８ａが設けられている。よって、ラッチ５８が室内側から室外側に向けて移動するとき、傾斜面５８ａが突起部５２に押し当てられ、それにより付勢部材７４の付勢力に抗してラッチ５８がラッチ穴７２に収納される。傾斜面５８ａが突起部５２を通過すると、付勢部材７４の付勢によりラッチ穴７２からラッチ５８が進出し、ラッチ５８は係合状態をとる。
【００６１】
図４（ａ）、図４（ｂ）、図５（ａ）、及び図５（ｂ）に示されるように、ラッチ５８にはラッチ操作部７６が設けられている。ラッチ操作部７６は、ラッチ５８の室内側面から室内側に向けて突き出した突起である。ラッチ操作部７６に対応するラッチ操作開口７８がコーナーブロック６０に設けられている。ラッチ操作開口７８は、ラッチ操作部７６を受け入れる貫通孔であり、ラッチ穴７２の側面から室内面部６２の室内側面へと形成されている。ラッチ操作部７６は、その室内側の末端が室内面部６２の室内側面に位置するよう形成されている。ラッチ操作部７６は、ラッチ操作開口７８において見付方向に進退可能である。ラッチ操作部７６はラッチ５８の一部を構成し、従ってラッチ操作部７６とラッチ５８とは一体に移動可能である。
【００６２】
図５（ｂ）において矢印８０で示すように、ラッチ操作部７６を内周側に向けて操作することにより、ラッチ５８とラッチ受け部との係合を解除するようにラッチ５８をラッチ穴７２に収納することができる。ラッチ操作部７６を操作すると、まず、ラッチ５８の先端が第２対向面部５０から離れる。矢印８２で示すように、ラッチ５８の先端を突起部５２の先端よりも内周側まで移動させると、ラッチ５８とラッチ受け部との係合は解除される。この解除状態において、ラッチ５８は室外側から室内側に向けて移動可能である。ラッチ操作部７６への操作を解除すると、付勢部材７４の付勢によりラッチ穴７２からラッチ５８が進出し、係合状態に戻る。
【００６３】
図６は、本発明のある実施形態に係る開口部装置の施工方法を説明するための図である。この方法は、建物開口部に開口部装置の枠体１を固定する第１工程と、室内側から外障子３を枠体１に納める第２工程と、を備える。第２工程は、室内側から外框８を枠体１に取り付ける工程と、室内側から外パネル７を外框８に建て込む工程と、押縁部材２８またはその他の部材によって外パネル７を外框８に固定する工程と、を備える。上述のように押縁部材２８またはその他の部材は内框１０のための支持部であるから、第２工程は、外框８の室内側内周面に内框１０の支持部を設ける工程を備える。このようにして、図６に示されるように、外障子３が室内側から枠体１に納められる。図６には開口部装置の室外側部分の縦断面図を示す。なお、図６においてはハンドル５の図示を省略する。
【００６４】
本方法は、内障子４を室内側から外障子３に取り外し可能に装着する第３工程をさらに備える。内障子４が装着されるとき、まず、内框１０のラッチ５８が外框８の突起部５２に押し当てられてラッチ穴７２へと押し込まれる。そうしてラッチ５８が突起部５２を通過すると、ラッチ５８はラッチ受け部に係合する。このようにして、図１ないし図３、及び図５（ｃ）に示されるように、内障子４は外障子３に装着される。
【００６５】
また、ラッチ操作部７６を操作しラッチ５８とラッチ受け部との係合を解除することにより、内障子４を外障子３から取り外すことができる。さらに、押縁部材２８を外框８から取り外し、外パネル７を外框８から取り外し、外框８を枠体１から取り外すことにより、外障子３を枠体１から取り外すこともできる。
【００６６】
なお、本施工方法においては、すべての工程が同一の施工業者によって行われてもよい。あるいは、一部の工程がある施工業者によって行われ、他の一部の工程が別の施工業者によって行われてもよい。例えば、上述の第１工程及び第２工程がある施工業者によって行われ、第３工程が別の施工業者によって行われてもよい。この場合、第３工程は、内障子４を既設の開口部装置に取り付けるために行われてもよい。
【００６７】
以上説明したように、本実施形態によると、外障子３を枠体１に取り付けたまま内障子４を簡単に取り外すことができる。よって、内障子４のメンテナンスや交換が容易である。また、外障子３及び内障子４をともに室内側から建て込むことができるので、特に建物の高層階での作業の安全性が向上される。
【００６８】
以上、本発明を実施例にもとづいて説明した。本発明は上記実施形態に限定されず、種々の設計変更が可能であり、様々な変形例が可能であること、またそうした変形例も本発明の範囲にあることは、当業者に理解されるところである。
【００６９】
上述の実施形態においては、内パネル９は複層ガラスを備える。しかし、本発明はこれに限られず、例えば、内パネル９は、ブラインド内蔵型複層ガラス９０を備えてもよい。図７は、ブラインド内蔵型複層ガラス９０を例示する斜視図である。ブラインド内蔵型複層ガラス９０においては、２枚のガラス板９１，９１間に形成される空間にブラインド９２が納められている。ブラインド内蔵型複層ガラス９０には、ブラインド９２の開閉操作を行うための操作機構を内部に備えた操作体９３が設けられている。操作体９３には、操作部９４が設けられている。操作部９４を操作することにより、操作体９３内の操作機構が動作し、操作機構と連動してブラインド９２が開閉する。
【００７０】
上述の実施形態においては、押縁部材２８が見込方向に框室内部２０のほぼ全幅を覆っており、内框１０のための支持部が押縁部材２８に設けられている。しかし、本発明はこれに限られず、例えば、内框１０が框室内部２０に直接支持されていてもよい。この場合、内框１０を支持するための支持部が框室内部２０の室内側部分に形成されていてもよい。この支持部は、框室内部２０に一体的に設けられていてもよいし、框室内部２０から取り外し可能な別体の部材であってもよい。押縁部材は、この支持部と外パネル７との間に配置され、上述の実施形態と同様にして框室外部１８と押縁部材との間に外パネル７が挟持されてもよい。
【００７１】
上述の実施形態においては、内障子４を外障子３に取り外し可能に装着するために、ラッチ５８が内框１０に設けられ、ラッチ受け部が外框８に設けられている。しかし、本発明はこれに限られず、例えば、内框１０がラッチのような可動片を有する任意の装着部を備え、外框８が当該可動片に係合する任意の係合部を備えてもよい。あるいは、逆に、内框１０が係合部を備え、外框８が装着部を備えてもよい。
【００７２】
上述の実施形態においては、開口部装置の断熱性を高めるために、枠体１には枠ブリッジ材１６が設けられ、外障子３には框ブリッジ材２２が設けられている。しかし、本発明はこれに限られず、開口部装置はこうしたブリッジ材を有しなくてもよい。その場合、枠体１においては、上述の枠室外部１２及び枠室内部１４が一体の枠部材を構成していてもよい。同様に、外框８においては、上述の框室外部１８及び框室内部２０が一体の框部材を構成していてもよい。この場合、押縁部材２８は、框室外部１８及び框室内部２０を備える一体の框本体２６のうち室内側の部分に取り付けられていてもよい。
【００７３】
上述の実施形態においては、外パネル７は押縁部材２８を用いて外框８に納められている。しかし、本発明において外パネル７の固定方式は押縁構造には限られない。例えば、内障子４を用いて外パネル７が固定されてもよい。この場合、例えば、外パネル７は、框室外部１８と内框１０とにより挟持されてもよい。
【００７４】
上述の実施形態においては、開口部装置の室外側部分が所望の基本性能を提供し、室内側部分が所望の付加機能を提供する。しかし、本発明はこれに限られず、ある実施形態に係る開口部装置は、室外側部分と室内側部分とによって全体として所望の基本性能が提供されるよう設計されていてもよい。また、ある実施形態に係る開口部装置は、室外側部分と室内側部分とによって全体として所望の付加機能が提供されるよう設計されていてもよい。
【００７５】
上述の実施形態においては、開口部装置は、内開きのドレーキップ窓として構成されている。しかし、本発明はこれに限られず、ある実施形態に係る開口部装置は、外開き式に開閉可能であるように枠体に支持される障子ユニットを備えてもよい。あるいは、ある実施形態に係る開口部装置は、引き違い式に開閉可能であるように枠体に支持される障子ユニットを備えてもよい。
【００７６】
なお、開口部装置が外開き式の場合には、開口部装置の施工方法は、建物開口部に開口部装置の枠体を固定する第１工程と、室外側から外障子を枠体に納める第２工程と、を備えてもよい。この場合、第２工程は、室外側から外框を枠体に取り付ける工程と、室外側から外パネルを外框に建て込む工程と、押縁部材またはその他の部材によって外パネルを外框に固定する工程と、を備えてもよい。本方法は、内障子を室内側から外障子に取り外し可能に装着する第３工程をさらに備えてもよい。
【００７７】
上述の実施形態においては、開口部装置は、開閉可能に枠体１に支持される障子ユニット２を備える。しかし、本発明はこれに限られず、ある実施形態に係る開口部装置は、建物開口部に固定される枠体と、枠体に固定的に支持されるパネルユニットと、を備えてもよい。パネルユニットは、開閉不能に枠体に納められる。パネルユニットは、枠体に納められる外パネルと、室内側から枠体に取り外し可能に装着される内障子と、を備えてもよい。内障子の框体は、枠体の室内側内周面に着脱自在に支持されてもよい。
【００７８】
上述の実施形態においては、開口部装置を建物開口部に新設するための施工方法が提供される。しかし、本発明はこれに限られず、ある実施形態においては、建物開口部に設置されている既設サッシを改装するための施工方法が提供されてもよい。本方法は、既設サッシから障子またはパネルを取り外す工程と、室内側または室外側から新たな外障子または外パネルを既設サッシの枠体に納める工程と、を備えてもよい。本方法は、新たな外障子を既設サッシの枠体に納める際に、外障子の框体の室内側内周面に開口部装置の内障子の框体のための支持部を設ける工程を備えてもよい。あるいは、本方法は、新たな外パネルを既設サッシの枠体に納める際に、既設サッシの枠体の室内側内周面に開口部装置の内障子の框体のための支持部を設ける工程を備えてもよい。本方法はさらに、内障子を室内側から外障子または枠体に取り外し可能に装着する工程を備えてもよい。
【符号の説明】
【００７９】
１  枠体、  ２  障子ユニット、  ３  外障子、  ４  内障子、  ７  外パネル、  ８  外框、  ９  内パネル、  １０  内框、  ２６  框本体、  ２８  押縁部材、  ５８  ラッチ、  ９０  ブラインド内蔵型複層ガラス。
【図１】
2015175169.tif 000003
【図２】
2015175169.tif 000004
【図３】
2015175169.tif 000005
【図４】
2015175169.tif 000006
【図５】
2015175169.tif 000007
【図６】
2015175169.tif 000008
【図７】
2015175169.tif 000009